(57)【特許請求の範囲】
【請求項１】
閉鎖時にロック機構によりロックされる扉部材および該扉部材が開閉可能に取り付けられる凹字状の支持枠とからなる本体と、該本体を対向する固定基材間に取り付ける取付機構とを備えた幼児用ゲートにおいて、
前記取付機構は、前記支持枠に設けたスリーブにネジ部の先端側を挿脱自在に挿入した調整ボルトと、仕切部材が取付けられ前記ネジ部が差し込まれる円筒部を有する連結桿、および該連結桿を前記ネジ部上の任意の位置に固定する締付ナットとを備え、
前記本体の幅と該本体の取付部位における取付幅との寸法差により生じる隙間を、前記連結桿を移動させて仕切部材により縦方向に区画することを特徴とする幼児用ゲート。
【発明の詳細な説明】
【０００１】
【発明の属する技術分野】
本発明は幼児用ゲートに係り、さらに詳しくは家屋内の部屋の出入口や階段の昇降口或いは廊下等のように両側が壁面等の対向する固定基材間に挟まれた通路の狭窄部を横断して設置され、ロック機構のロック操作で扉の開閉をロックして幼児やペットなどの通行を阻止するための幼児用ゲートに関するものである。
【０００２】
【従来の技術】
従来の幼児用保護枠として、実公平４−２８４３７号公報記載の装置が知られている。この幼児用保護枠の構成が、図１０に示されている。
図１０において、１０１は保護枠、１１０は枠体、１１１．１１１は抱き込み金具である。保護枠１０１は、側桿１０２，１０２と、連結桿１０３，１０３と、ボルト１０４と、ネット１０５で構成されている。また、枠体１１０は、柱材１０６．１０６と、支桿１０７．１０７と、操作部材１０８と、リンク１０９で構成されている。
【０００３】
操作部材１０８を支桿１０７に平行するように回動させると、リンク１０９を介して両支桿１０７．１０７が互いに相反する方向に押し出される。そして、２本の柱材１０６．１０６が図の１点鎖線で示す通路面に当接されて、枠体１１０が通路面に支持されるようになっている。一方、連結桿１０３，１０３は両側桿１０２，１０２の上下端の途中から連なって互いに内側に向けて突出して対向端をスライド自在に嵌装し、ボルト１０４は外側の連結桿１０３にねじ込んで内側の連結桿１０３を固着する。
【０００４】
また、ネット１０５は上下縁に袋状部を設けて、これらの袋状部に上下の連結桿１０３，１０３を嵌装により支持させて張り渡されている。そして、柱材１０６に取り付けた抱き込み金具１１１に末端側の側桿１０２を貫通させて、保護枠１０１が枠体１１０に開閉自在に取り付けられる。保護枠１０１は対向端がスライド自在な連結桿１０３，１０３により、通路の幅に応じて両側桿１０２，１０２の間隔を自由に調整できるということが記載されている。
【０００５】
【発明が解決しようとする課題】
一般に、この種の幼児用ゲートでは取付部位の固定基材間の寸法Ａ（＝取付幅Ａ）が不均一であるため、図１０の装置ではスライド自在の連結桿１０３，１０３で保護枠１０１の幅が調整できるように構成されている。しかしながら、この従来装置では保護枠１０１や枠体１１０の幅を広げて固定基材間の寸法Ａに対応させているが、保護枠１０１を拡げたときに生じる保護枠１０１とネット１０５間の幅方向の隙間については何らの配慮がなされていない。このため保護枠１０１や枠体１１０の幅と固定基材間の寸法Ａとの幅差が僅かな場合は支障が少ないが、幅差が大きくなると広い間隙が発生することになる。
【０００６】
保護枠１０１が特に柔軟性を有するネット１０５で構成されている場合は、できた隙間を子犬等が通り抜け易くなってこの保護枠１０１をペット用に適用できなくなる恐れが多い。一方、幼児用の保護枠１０１は幼児の生長期に対応した一定の期間に亘って部屋の出入口や階段の昇降口或いは廊下に設置されるので、ゴミやホコリがネット１０５に付着して汚れることになる。ところが、上記従来の保護枠１０１のネット１０５は、袋状部に連結桿３，３を嵌装して張り渡されている。このため、構造上から汚れたネット５を取り外すことが不可能で、不衛生になる等の問題点もあった。
【０００７】
本発明は上記した従来の幼児用ゲートの問題点を解消するためになされたもので、幼児用ゲートの取付幅を調整した場合でも幼児やペットの通行を確実に阻止することのできる幼児用ゲートを構成したものである。また、ネットを取り外し自在に構成して洗濯や交換が可能で常時衛生的な状態を保持できる幼児用のゲートを実現することを目的としたものである。
【０００８】
【課題を解決するための手段】
本発明は、閉鎖時にロック機構によりロックされる扉部材および該扉部材が開閉可能に取り付けられる凹字状の支持枠とからなる本体と、該本体を対向する固定基材間に取り付ける取付機構とを備えた幼児用ゲートにおいて、
前記取付機構は、前記支持枠に設けたスリーブにネジ部の先端側を挿脱自在に挿入した調整ボルトと、仕切部材が取付けられ前記ネジ部が差し込まれる円筒部を有する連結桿、および該連結桿を前記ネジ部上の任意の位置に固定する締付ナットとを備え、
前記本体の幅と該本体の取付部位における取付幅との寸法差により生じる隙間を、前記連結桿を移動させて仕切部材により縦方向に区画するようにしたものである。
【０００９】
【発明の実施の形態】
実施の形態１
図１は本発明の実施の形態１の正面図、図２は図１の右側面図、図３は取付機構の構成を示す一部の断面図、図４は取付機構の別の構成を示す一部の断面図、図５は動作を示す説明図である。
図１〜４において、１は幼児用ゲートの本体である。２は凹字状の支持枠、３は長方形の扉で、これら支持枠２と扉３によりゲートの本体１が構成されている。扉３は額縁状の扉枠３ａと、その内部で単一の横桟３１と複数の縦桟３２とを縦横に組み付けた金属の柵部材３ｂで構成されている。支持枠２と扉枠３ａには太さが異なるが共に角筒状の金属材が用いられていて、太く堅牢な支持枠２内に細い方形の扉枠３ａの左枠が片開き型に支持されている。
【００１０】
４は扉３のロック機構で、扉３の上部の開放端に取り付けられている。４０はロック機構４の樹脂製のケース本体、４１はグリップ、４２はケース本体４０を軸支する起伏軸、４３はスライド釦である。スライド釦４３には内蔵バネにより常時拡張力が加えられてケース本体４０の回動を抑制し、左方向のスライドでケース本体４０の抑制力を解除する。図示されていないが、ケース本体４０の起伏端と支持枠２における右枠との上端には相互的な凹凸部が形成され、この凹凸部が嵌合して扉３の開放が阻止される。また、扉枠３ａにおける右枠の角筒内を上下に貫通してケース本体４０の起伏動作に連動して上下動するロック棒が設けられ、ケース本体４０の伏臥状態でその下端部が支持枠２に設けられたロック孔に嵌入して扉３の下部開放端の“ガタ付き”が防止される。
【００１１】
５はゲートの本体１の左，右に設けられた取付機構、６は前述の通路を挟んで対向する固定基材である（以下、単一の符号５，６のみを用いる）。取付機構５の構成を示す一部の断面図が、図３と図４に拡大して示されている。図３と図４では対向する固定基材６の内他方の図示が省略されているが、左右の突っ張り力で両基材６〜６間に本体１が取り付けられる。そして、次に説明するように、取付機構５にはゲートの本体１の幅と取付幅Ａとの寸法差により生じる隙間を縦方向に区画する固定された縦パイプ（仕切部材）Ｐ１および着脱及び位置決め可能な縦パイプ（仕切部材）Ｐ２が付設され、縦パイプＰ２によって取付調整幅の拡大に伴い拡張した隙間が区画され、それぞれの隙間Ｓ（Ｓ０，Ｓ１…）を基準値以内に設定できるようになっている。
【００１２】
取付機構５において、５１は支持枠２に設けられた逃げ孔、５２は逃げ孔５１の周辺に一端が固着されたネット用横パイプである。また、Ｐ１は両端が上下のネット用横パイプ５２に固定された第１の縦パイプで、支持枠２と基準値（小犬等の通行を阻止する最大値）以下の隙間Ｓ０を隔てて設けられている。５３はフランジを形成したスリーブ、５４はスリーブ５３にネジ部の先端側を挿脱自在に挿入した調整ボルト、５５は調整ボルト５４にインサートナットを螺合させた操作リングである。スリーブ５３と操作リング５５には合成樹脂材が用いられ、調整ボルト５４の頭部５４ａには摩擦係数の大きい合成樹脂またはゴム材が用いられている。５６は樹脂製の連結桿、５７は連結桿５６を任意の位置に固定する締付ナットである。連結桿５６は、円筒部５６ａと断面十字状の挿入部５６ｂとの２部分で構成されている。
【００１３】
連結桿５６の円筒部５６ａに調整ボルト５４のネジ部が差し込まれて、左右の締付ナット５７の螺送によって挾着されて調整ボルト５４上の所定位置に固定される。Ｐ２は第１の縦パイプＰ１より幾分太い第２の縦パイプである。第２の縦パイプＰ２は両管端に連結桿５６の挿入部５６ｂが挿入され、本体１と固定基材６との間に形成される隙間を縦方向に区画して子犬などの通行を阻止するようになっている。１１は角筒材を用いた支持枠２と扉枠３ａの上端開口に帽子状に被着された蓋部材、１２は下部開口に設けられた脚部材である（図１）。蓋部材１１には扉枠３ａの左枠内に嵌入された軸受けに遊嵌する回転軸を設けた延設部が形成され、この延設部の回転軸を支点にして扉３が前述のように片開き型に開閉される。なお、支持枠２の右枠の上端開口には、ロック機構４のケース本体４０と嵌合する帽子状の蓋部材１１ａが被着される（図３，４）。上記の調整ボルト５４と操作リング５５等が取付幅Ａとの幅調整機能を司り、第２の縦パイプＰ２と前記第１の縦パイプＰ１等がゲートの本体１の幅と取付幅Ａとの寸法差により生じる隙間を区画するための仕切部材として構成される。
【００１４】
上述のような構成の幼児用ゲートは、例えば次のような手順で対向する固定基材６間に挟まれた通路に設置される。
先ず、対向する固定基材６の間隔が狭くゲートの本体１との幅差が少ないときは、図４に示すように取付機構５の第２の縦パイプＰ２と締付ナット５７が取り外される。そして、この標準型のゲート本体１を、対向する固定基材６の間に挟まれた通路に横断的に配置される。ここで、操作リング５５を時計回りに回転すると、調整ボルト５４が操作リング５５から右方向に抜け出すことになる。そして、頭部５４ａが操作リング５５から僅かに露出することにより突っ張り力が発生して、両側の固定基材６を押圧する。このときの状態が、図５（ａ）に示されている。
【００１５】
同様の操作で、支持枠２の下部側の操作リング５５を回転して、ゲート本体１をほぼ等しい幅差の固定基材６間に取り付けることができる。また、取付幅Ａが図５（ａ）よりやや広い場合は、前記と同様の操作リング５５の操作で頭部５４ａの露出長を更に増加させることにより図５（ｂ）のようにゲート本体１を突っ張り力で設置することができる。図５（ｂ）の隙間Ｓ１および、支持枠２と第１の縦パイプＰ１との間に形成された所定幅の隙間Ｓ０は、何れも基準値５０ｍｍ以内である。
【００１６】
引き続いて、図３に示されたような構成の取付機構５を用いて、取付幅Ａがさらに拡大されたときのゲート本体１の設置例が図５（ｃ），（ｄ）に示されている。図５（ｃ）では図（ａ），（ｂ）の取付機構５に拡張機能が付設され、所謂ゆるオプションとしての上，下の連結桿５６に取り付けられた第２の縦パイプＰ２と１個の締付ナット５７が用いられている。また、図５（ｄ）では取付機構５に、更に１個の締付ナット５７が追加されている。なお、図５（ｄ）では概ねＳ１＝Ｓ２となるように２個の締付ナット５７による位置決めを行うことが好ましいが、この作業を怠るとＳ１若しくはＳ２が基準値を越えてしまうことがあり得る。こうして、取付幅Ａの変化に伴い本体１の側方に生じる隙間の大きさが変化するが、この変化する隙間を縦パイプＰ１と位置が可変な縦パイプＰ２（縦仕切材）で区画して、幼児やペットの通行を阻止できる隙間間隔として基準値以内に設定することができる。なお、第２の縦パイプＰ２と締付ナット５７は図５（ｂ）の状態において利用域の下限になっており、それより取付幅Ａの拡大領域でこれらの両部材が利用されることになる。第２の縦パイプＰ２が利用される場合の締付ナット５７の利用個数をｎとすると、最小ではｎ＝０（図示を省略）でそれより取付幅Ａが拡大された領域では順次ｎ＝１，ｎ＝２…として対応できる。
【００１７】
因みに、実施の形態１における取付機構５の寸法の仕様を挙げれば、次の通りである（何れも、単位：ｍｍ）。
操作リング５５の厚さ：２４．５      縦パイプＰ２の外径：１３．０
頭部５４ａの厚さ    ：  ８．５      連結桿５６の厚さ  ：１６．０
締付ナット５７の厚さ：  ８．４
ここでは、小型犬の通行を阻止できる最大の基準隙間（基準値）を５０．０に設定した場合が例示され、図５（ａ）〜（ｄ）における隙間Ｓ０，Ｓ１，Ｓ２はそれぞれＳ０＝４５．０、２６．０≦Ｓ１≦４７．５、９．９≦Ｓ２≦４５．０で、全て仕様例における基準値５０ｍｍ以内に選定されている。上記仕様例の実施の形態１によれば、一方の取付調整幅Ｌは約７０ｍｍとなり、左右両方の取付機構５の協同効果により最大約１４０ｍｍの取付幅調整が可能であり、且つ通行の阻止が可能な所定の縦方向の隙間Ｓを設定できる取付機構５が実現される。
【００１８】
このような構成の幼児用ゲートの本体１は、前記のような固定基材６間の通路を横断して設置される。ロック機構４が図１に示す状態で扉３がロックされ、このときのゲートの本体１と取付機構５によって幼児やベットの通路の通行が阻止される。扉３のロックを解除するときは、例えば右手の４指をケース本体４０のグリップ４１に差し込み、親指でスライド釦４３を左にスライドする。この操作でケース本体４０の回動の抑制力が解除されて、ケース本体４０を起伏軸４２を支点に反時計方向に回動させる。この結果、前述のロック棒も上昇して、扉３を自由に開放させて固定基材６，６間の通行を可能とすることができる。
【００１９】
実施の形態２
図６は本発明の実施の形態２の構成を示す正面図である。実施の形態２で実施の形態１と異なるところは扉３の構造であって、前者の柵部材３ｂに代えて後者ではネット３Ｃで構成されている。ネット３Ｃは扉枠３ａに張設され、ここでは樹脂繊維が用いられている。ネット３Ｃに使われた樹脂繊維は図７に示すように、微視的には亀甲状の連続的な網目模様が形成されている。３３は扉３の四隅に設けられた取付ネジで、ネット３Ｃを扉枠３ａに着脱可能に取り付けるためのものである。ネット３Ｃの取付構造を示す分解斜視図と縦断面図が、図８と図９に示されている。
【００２０】
図８，９において、３４は扉枠３ａの各内隅の表裏に固着された固定板、３５は一方の固定板３４に穿設された貫通孔、３６と３７は左右と上下のネット用縦パイプと横パイプ、３８はナットである。ナット３８は上下のネット用横パイプ３７の両端に溶接等で固着されて（右側は不図示）、貫通孔３５に挿入した取付ネジ３３が螺合される。一方、ネット３Ｃの四辺には上記のネット用縦・横各２本のパイプ３６，３７を挿通するための袋状部３９が形成されている。このネット３Ｃを扉枠３ａに張設するには、先ずネット３Ｃの四辺に形成された袋状部３９にネット用縦，横のパイプ３６，３７を挿通し、次いで左右のネット用縦パイプ３６を扉枠３ａの四隅に設けられた表裏固定板３４間に収納し、さらに上下のネット用横パイプ３７をネット用縦パイプ３６の動きを規制して扉枠３ａの四隅に設けられた表裏固定板３４間に収納し、一方の固定板３４に設けられた貫通孔３５を介してナット３８に取付ネジ３３を螺合する。
【００２１】
その他の支持枠２やロック機構４等の構造には、実施の形態１と同一の構成部材が用いられている。なお、図６の実施の形態２を示すゲートの本体１には第２縦パイプＰ２を除いた標準型の取付機構５が記載されているが、第２縦パイプＰ２を利用した拡張型にも構成される。よって、扉３の開閉動作や取付機構５の構成や動作等は重複するので、図面に記載された主な構成部材に対応する符号を付して再説明を省略する。
【００２２】
こうして、家屋内の部屋の出入口や階段の昇降口或いは廊下等に本発明のゲート本体１が設置されると、前述のように使用期間の経過に応じてネット３Ｃの汚れが増加することになる。汚れたネット３Ｃは扉枠３ａの四隅の取付ネジ３３を利用して随時取り外される。ナット３８に螺合された取付ネジ３３を緩めて貫通孔３５から引き抜くと、図８のようにネット３Ｃの袋状部３９に通されたネット用縦パイプ３６とネット用横パイプ３７が扉枠３ａから分離する。そして、ネット用縦パイプ３６とネット用横パイプ３７を袋状部３９から引き抜いて、汚れたネット３Ｃを分離することができ、これにより洗濯等が可能になる。その後、逆の取り付け操作によって、新品や洗濯後のネット３Ｃが再び扉枠３ａに張設される。この結果、汚れ易いネット式のゲートを、常に清潔で衛生的に保持することができる。また、破損したネットを交換して、幼児やペットの抜け出しを未然に防ぐこともできる。
【００２３】
なお、上述した本発明の実施の形態１，２では第１と第２の縦パイプ（仕切部材）で縦方向の隙間を区画した場合を例示して説明したが、基準値は本発明における小犬を対象とした５０ｍｍに限定されるものではなく、小犬よりもさらに小さなペットを対象とする場合は基準値を小さくし、この新たな基準値以内に縦パイプＰ１，Ｐ２が区画する隙間Ｓ０，Ｓ１，Ｓ２…を設定し、必要に応じ仕切部材の数を増加すればよい。また、本発明が設定したよりも大きな隙間調整幅Ｌが発生する場合は、調整ボルト５４の長さを長くし、適宜仕切部材の数を増加させればよい。また、ネット３Ｃの袋状部３９にネット用縦パイプ３６とネット用横パイプ３７を挿通した場合で説明したが、曲がり難い金属の棒材や板材等の線条部材を用いることもできる。また、横パイプ５２に固定された第１の縦パイプＰ１を第２の縦パイプＰ２と連結桿５６との組合せに代えて、隙間Ｓ０を区画する仕切部材を着脱自在に構成してもよい。また、取付機構５をゲート本体１の両側に設けるか片側に設けるかの選択は勿論のこと、実施形態２で利用したネット３Ｃの縫製による袋状部及びその袋状部に挿通した各２本宛のネット用縦，横のパイプとを縫製に対してはホックやファスナー等及びネット用パイプに対してはワイヤ或いはロープ等の同一の機能部材で代用してもよい。因みに、縫製に代える同一の機能部材の使用形態では、扉枠３ａに直接ネット３ｃを取り付けることが可能となる。さらに、本発明のロック機構等の構成についても、実施の形態１，２に示したものに限定するものではなく、その要旨を逸脱しない範囲内で適宜変更することができる。
【００２４】
【発明の効果】
本発明は、閉鎖時にロック機構によりロックされる扉部材および扉部材が開閉可能に取り付けられる凹字状の支持枠とからなる本体と、本体を対向する固定基材間に取り付ける取付機構とを備えた幼児用ゲートにおいて、本体の幅と本体の取付部位における取付幅との寸法差により生じる隙間を仕切部材により縦方向に区画する幼児用ゲートを構成した。
また、上記において、仕切部材により区画された隙間幅を基準値以内に設定する幼児用ゲートを構成した。
また、上記において、仕切部材の一部または全てを取付機構に着脱可能に設けた幼児用ゲートを構成した。
また、本発明は、閉鎖時にロック機構によりロックされる扉部材および扉部材が開閉可能に取り付けられる凹字状の支持枠とからなる本体と、本体を対向する固定基材間に取り付ける取付機構とを備えた幼児用ゲートにおいて、扉部材を、扉枠と扉枠に着脱可能に張設されるネット部材とにより構成した幼児用ゲートを構成した。
【００２５】
この結果、取付幅の変化に伴って大きさが変化する隙間を仕切部材によって基準値以内の隙間間隔に区画されるので、従来の保護枠のように構成部材間同志の間隔がアンバランスにならないばかりか、基準値を越えた大きな隙間から幼児やペットの抜け出しを防止することができる。また、涎等で汚れ易いネットを取り外して、随時洗濯することができできる。さらに、消耗して破れそうなネットを予め新品に交換して、小犬等の通行を阻止することも可能になる。
【００２６】
よって、本発明によれば、取付幅に変化に対応して幼児やペットの通行を確実に阻止できる幼児用ゲートを実現することができる。また、ネットを取り外し自在に構成したので、洗濯や交換が可能で常時衛生的で丈夫な状態を保持できる幼児用のゲートを提供することもできる。
【図面の簡単な説明】
【図１】本発明の実施の形態１の正面図である。
【図２】図１の右側面図である。
【図３】取付機構の構成を示す一部の断面図である。
【図４】取付機構の別の構成を示す一部の断面図である。
【図５】実施の形態１の動作を示す断面説明図である。
【図６】本発明の実施の形態２の構成を示す正面図である。
【図７】図６の一部の拡大図である。
【図８】ネットの取付構造を示す分解斜視図である。
【図９】ネットの取付構造を示す縦断面図である。
【図１０】従来の幼児用保護枠の構成を示す正面図である。
【符号の説明】
１  ゲートの本体、
２  支持枠、
３  扉（部材）、
３ａ  扉枠、
３ｂ  柵部材、
３ｃ  ネット（部材）、
５  取付機構、
６  固定基材、
３３  取付ネジ、
３４  固定板、
３５  貫通孔、
３６  ネット用縦パイプ、
３７  ネット用横パイプ、
３８  ナット、
３９  袋状部
５１  逃げ孔、
５２  横パイプ、
５３  スリーブ、
５４  調整ボルト、
５４ａ  頭部、
５５  操作リング
５６  連結桿、
５７  締付ナット、
Ｓ（Ｓ０，Ｓ１，Ｓ２…）  隙間、
Ｐ１  第１の縦パイプ（仕切部材）、
Ｐ２  第２の縦パイプ（仕切部材）
【図１】
0004757399.tif 000002
【図２】
0004757399.tif 000003
【図３】
0004757399.tif 000004
【図４】
0004757399.tif 000005
【図５】
0004757399.tif 000006
【図６】
0004757399.tif 000007
【図７】
0004757399.tif 000008
【図８】
0004757399.tif 000009
【図９】
0004757399.tif 000010
【図１０】
0004757399.tif 000011